(57)【特許請求の範囲】
【請求項１】
ハウジング本体（２１）と固定部品（２２）とをバックプレーン（３）の表裏両側に対向配置して該バックプレーンに挟み込むようにして取り付ける光コネクタにおいて、
前記バックプレーンに対して進退自在に設けられたプリントボード（２）に取り付けられ前記ハウジング本体に対して着脱自在に係合するプリントボードハウジング（３３）を備え、
前記ハウジング本体は筒状に形成された一部品であり、前記プリントボードハウジングと係合する位置決め係合部（３６）と、前記プリントボードハウジングをハウジング本体に係合した時に該プリントボードハウジングに予め支持した光コネクタプラグ（４ｃ）が差し込まれるプラグ収納穴（２３）とを備え、
前記ハウジング本体に形成されている前記プラグ収納穴内では前記バックプレーンに開口した取付穴（３０）を介して差し込まれた光コネクタプラグ（４ｂ）と前記プリントボードハウジングに支持した光コネクタプラグとが接続されるようになっており、
前記プリントボードハウジングは、前記光コネクタプラグを収納支持する内部ハウジング（３４）を前後方向に可動として内部に備え、
前記内部ハウジングに収納支持された光コネクタプラグがＭＰＯプラグであり、前記内部ハウジングはＭＰＯプラグのカップリング（４ｆ）の外側に装着され、
前記内部ハウジングの側部に突設された係合突部（３４ａ）が、プリントボードハウジング内面に形成された突部収納溝（３３ａ）内に収納され、この突部収納溝内での前記係合突部の可動範囲により内部ハウジングがプリントボードハウジング内にて前後方向に可動であり、
前記ハウジング本体のプラグ収納穴に予め差し込んでおいた光コネクタプラグに対してプリントボードハウジングに支持したＭＰＯプラグを接続する際には、プリントボードハウジング後部の支圧壁（３３ｂ）がＭＰＯプラグ後端に突設されたフランジ（４ｇ）を押圧することにより、前記ＭＰＯプラグがハウジング本体内に差し込まれ、
接続状態の光コネクタプラグ同士の接続を解除するために、プリントボードハウジングを接続方向後方に引っ張った時には、プリントボードハウジングに前記内部ハウジングの前記係合突部（３４ａ）が引っ掛かって前記内部ハウジングがプリントボードハウジングと一体的に移動することで、前記内部ハウジングと連結しているカップリング（４ｆ）が移動されるようになっていることを特徴とする光コネクタ。
【請求項２】
前記固定部品は全体がバネ材から形成されており、プラグ挿通穴（２９）が開口されている長方形枠状の本体部（２４）と、該本体部の両側から突設され、バックプレーンの取付穴（３０）に挿通してバックプレーンを介して反対側に設置した前記ハウジング本体の係合部（２６，２６）にそれぞれ差し込んで係合される一対の弾性爪（２５，２５）とを備え、
前記取付穴に挿入した弾性爪（２５，２５）の周囲に、取付穴内での前記弾性爪の変位を許容するためのクリアランスが確保され、
前記クリアランスと前記弾性爪の弾性変形とによって、前記ハウジング本体が浮動可能になっていることを特徴とする請求項１記載の光コネクタ。
【請求項３】
前記固定部品は、前記プラグ挿通穴の両側の本体部に、該本体部からバックプレーン方向に突出する屈曲部あるいは円弧状の湾曲部であり、バックプレーンに当接されるバネ部（３１，３１）が形成され、
前記固定部品の弾性爪を前記バックプレーンの取付穴に差し込んでハウジング本体に係合したときに、ハウジング本体とバネ部との間にバックプレーンが挟み込まれるようになっていることを特徴とする請求項２記載の光コネクタ。
【発明の詳細な説明】
【０００１】
【発明の属する技術分野】
本発明は、光コネクタに係り、特にハウジング本体と固定部品とによって前記バックプレーンを表裏両側から挟み込んで組み立てられるバックプレーンハウジングを具備する光コネクタに関するものである。
【０００２】
【従来の技術】
プラグイン形式の光コネクタにあっては、従来からいわゆるバックプレーンコネクタが提供されている。
図７はバックプレーンコネクタの一例を示す。
図７中符号１はプラグインユニット、２はプリントボード、３はバックプレーン、４ａ，４ｂはＭＰＯコネクタプラグ（以下「ＭＰＯプラグ」）、５はプリントボードハウジング、６はバックプレーンハウジングである。
このバックプレーンコネクタは、プリントボードハウジング５を固定したプリントボード２をプラグインユニット１に差し込むことで、プラグインユニット１側部に配置したバックプレーン３に取り付けたバックプレーンハウジング６にプリントボードハウジング５が嵌合して組み立てられる。嵌合したプリントボードハウジング５およびバックプレーンハウジング６は光コネクタアダプタ７を構成し、両側から差し込まれたＭＰＯプラグ４ａ，４ｂ同士を接続する。プリントボードハウジング５側から光コネクタアダプタ７に差し込むＭＰＯプラグ４ａは予めプリントボードハウジング５に差し込んでおき、プリントボード２をプラグインユニット１の所定位置まで差し込むと同時にバックプレーンハウジング６に差し込まれる。ハウジング本体８は内部ハウジング８ａを内部に具備し、該内部ハウジング８ａ内にてバックプレーンハウジング６側のＭＰＯプラグ４ｂを支持する。
プラグインユニット１には複数枚のプリントボード２を並列に高密度収納することができるので、このバックプレーンコネクタでは光コネクタアダプタ７を高密度実装することができる。
なお、ＭＰＯプラグ４ａ，４ｂとは、ＪＩＳ  Ｃ  ５９８１に制定される光コネクタフェルール４ｃをプラスチック製ハウジングに支持した構成の光コネクタである。
【０００３】
図８はバックプレーンハウジング６を示す分解斜視図である。
図８に示すように、バックプレーンハウジング６は、バックプレーン３を介して両側に対向配置したハウジング本体８と裏面ハウジング９とを備えている。ハウジング本体８はプリントボード２側（図８中左側）に配置し、裏面ハウジング９はバックプレーン３を介してハウジング本体８と反対側に配置している。ハウジング本体８にはピン１０を突設し、バックプレーン３に開口した取付穴１１に前記ピン１０を挿入してバックプレーン３の反対側に突出させ、該ピン１０の突出先端に裏面ハウジング９をネジ１２により固定している。
【０００４】
図９は取付穴１１を示す。
図９に示すように、取付穴１１は長方形状であり、四隅に拡張部１３を有している。取付穴１１の対角線に沿って対向する一対の拡張部１３，１３には前記ピン１０を収納し、しかも、上下方向（図９中上下）にａ＝１．６０ｍｍ程度の隙間１４を確保し、水平方向（図９中左右）にもｂ＝０．３４ｍｍ程度の隙間１５を確保している。ハウジング本体８と裏面ハウジング９とは摺動可能にバックプレーン３を挟み込んでいるので、バックプレーンハウジング６は隙間１４、１５でのピン１０、１０の可動範囲内で浮動可能である。これにより、図７に示すように、プリントボードハウジング５をバックプレーンハウジング６に嵌合する際の寸法交差をバックプレーンハウジング６の浮動により吸収して嵌合作業性を向上している。
【０００５】
【発明が解決しようとする課題】
ところで、前記のバックプレーンコネクタの場合、ＭＰＯプラグ４ａ，４ｂ同士を接続した状態では、ＭＰＯプラグ４ａ，４ｂから引き出された光ファイバが引っ張られてＭＰＯプラグ４ａ，４ｂに側方への引張力が作用する時がある（いわゆるサイドプル）。図９において、プリントボードハウジング５側のＭＰＯプラグ４ａから引き出された光ファイバ１７はプラグインユニット１の外側に露出する場合が多く、作業者が引っ掛けるなどして引張力が作用する可能性が高い。光ファイバ１７が引っ張られＭＰＯプラグ４ａに側方への引張力が作用した時にはバックプレーンハウジング６やプリントボードハウジング５の弾性変形等によってＭＰＯプラグ４ａが若干変位する反面、バックプレーンハウジング６側に差し込まれたＭＰＯプラグ４ｂは所定位置に安定支持されているため、両ＭＰＯプラグ４ａ，４ｂの突き合わせ接続状態の光コネクタフェルール４ｃ，４ｃ間に若干の位置ずれが生じ、目的の接続損失が得られなくなる可能性がある。
すなわち、このバックプレーンコネクタでは、ＭＰＯプラグ４ａ，４ｂ同士が内部ハウジング８ａ内で位置決めされて接続されるようになっているため、ＭＰＯプラグ４ａに作用する側方への引張力は内部ハウジング８ａからハウジング本体８に伝達され、ハウジング本体８が集中的に負担して弾性変形を生じやすくなっている。このため比較的弱い力のサイドプルであってもハウジング本体８が弾性変形してＭＰＯプラグ４ａがＭＰＯプラグ４ｂに対して位置ずれを生じる可能があり、これにより光コネクタフェルール４ｃ，４ｃ間の接続損失が乱れる懸念がある。
しかしながら、内部ハウジング８ａの小型化は困難であるため、ハウジング本体８の強度を増すにはハウジング本体８を大型化することになり、今度は、光コネクタの多くの構成部品をハウジング本体に対応して大型化しなければならないといった問題が生じる。
また、前記問題に鑑みて、例えば、バックプレーンハウジング６の浮動範囲を拡張して側圧の作用を緩和することが考えられるが、浮動範囲の拡張はプリントボードハウジング５の嵌合作業性に影響を与えるので浮動範囲の拡張には限界があり、問題の根本的な解決には至らない。
【０００６】
本発明は、前述の課題に鑑みてなされたもので、一部品からなる筒状のハウジング本体のプラグ収納穴内にて光コネクタプラグ同士を接続するようになっているので、光コネクタプラグに作用する側方への外力に対する耐力をハウジング本体に確保することが容易であり、光コネクタプラグの位置決め精度を長期にわたって維持できる光コネクタを提供することを目的とする。
【０００７】
【課題を解決するための手段】
本発明では、ハウジング本体と固定部品とをバックプレーンの表裏両側に対向配置して該バックプレーンに挟み込むようにして取り付ける光コネクタにおいて、前記バックプレーンに対して進退自在に設けられたプリントボードに取り付けられ前記ハウジング本体に対して着脱自在に係合するプリントボードハウジングを備え、前記ハウジング本体は一部品から筒状に形成され、前記プリントボードハウジングと係合する位置決め係合部と、前記プリントボードハウジングをハウジング本体に係合した時に該プリントボードハウジングに予め支持した光コネクタプラグが差し込まれるプラグ収納穴とを備え、前記プラグ収納穴内では前記バックプレーンに開口した取付穴を介して差し込まれた光コネクタプラグと前記プリントボードハウジングに支持した光コネクタプラグとが接続されるようになっていることを特徴とする光コネクタを前記課題の解決手段とした。
また、上記発明において、前記プリントボードハウジングは、前記光コネクタプラグを収納支持する内部ハウジングを前後方向に可動として内部に備え、前記内部ハウジングに収納支持された光コネクタプラグがＭＰＯプラグであり、前記内部ハウジングはＭＰＯプラグのカップリングの外側に装着され、前記内部ハウジングの側部に突設された係合突部が、プリントボードハウジング内面に形成された突部収納溝内に収納され、この突部収納溝内での前記係合突部の可動範囲により内部ハウジングがプリントボードハウジング内にて前後方向に可動であり、前記ハウジング本体のプラグ収納穴に予め差し込んでおいた光コネクタプラグに対してプリントボードハウジングに支持したＭＰＯプラグを接続する際には、プリントボードハウジング後部の支圧壁がＭＰＯプラグ後端に突設されたフランジを押圧することにより、前記ＭＰＯプラグがハウジング本体内に差し込まれ、接続状態の光コネクタプラグ同士の接続を解除するために、プリントボードハウジングを接続方向後方に引っ張った時には、プリントボードハウジングに前記内部ハウジングの前記係合突部が引っ掛かって前記内部ハウジングがプリントボードハウジングと一体的に移動することで、前記内部ハウジングと連結しているカップリングが移動されるようになっていることを特徴とする。
上記発明において、さらに、前記固定部品は全体がバネ材から形成されており、プラグ挿通穴が開口されている長方形枠状の本体部と、該本体部の両側から突設され、バックプレーンの取付穴に挿通してバックプレーンを介して反対側に設置した前記ハウジング本体の係合部にそれぞれ差し込んで係合される一対の弾性爪とを備え、前記取付穴に挿入した弾性爪の周囲に、取付穴内での前記弾性爪の変位を許容するためのクリアランスが確保され、前記クリアランスと前記弾性爪の弾性変形とによって、前記ハウジング本体が浮動可能になっていることを特徴とする。
上記発明において、さらに、前記固定部品は、前記プラグ挿通穴の両側の本体部に、該本体部からバックプレーン方向に突出する屈曲部あるいは円弧状の湾曲部であり、バックプレーンに当接されるバネ部が形成され、前記固定部品の弾性爪を前記バックプレーンの取付穴に差し込んでハウジング本体に係合したときに、ハウジング本体とバネ部との間にバックプレーンが挟み込まれるようになっていることを特徴とする。
プリントボードは例えば従来例記載のプラグインユニット等の支持体にガイドされつつバックプレーンに対して進退し、このプリントボードの進退動に伴ってプリントボードハウジングも移動し、ハウジング本体に対して着脱される。
ハウジング本体のプラグ収納穴では、取付穴側、プリントボード側の両方向から光コネクタプラグが差し込まれて突き合わせるようにして接続される。したがって、ハウジング本体は少なくとも両光コネクタプラグの接続される端部を収納する大きさであり、十分な強度が得られる。一方、プリントボード側の光コネクタプラグのハウジング本体に対する位置決めは、プリントボードハウジングとハウジング本体との間が位置決め係合部によって位置決めされることで確保されるので、プラグ収納穴への光コネクタプラグの挿入作業性は維持される。位置決め係合部としては各種構成が採用可能である。
【０００８】
【発明の実施の形態】
以下本発明の光コネクタの１実施形態を、図１から図６を参照して説明する。なお、図中、図７から図９と同一の構成部分には同一の符号を付し、その説明を簡略化する。
【０００９】
図１に示すように、本実施形態の光コネクタは、ハウジング本体２１と固定部品２２とからなるバックプレーンハウジング２０を備えている。
ハウジング本体２１はプラスチック等の合成樹脂から筒状に形成され、対向する両側から差し込まれたＭＰＯプラグ４ｂ，４ｃを挿抜可能に収納するプラグ収納穴２３を備えている。プラグ収納穴２３内にはＭＰＯプラグ４ｂ，４ｃの両方を位置決めする図示しないキー溝を形成しているので、該プラグ収納穴２３内に差し込んだＭＰＯプラグ４ｂ，４ｃは互いに突き合わせ接続可能に位置決めされる。
ＭＰＯプラグ４ｂ，４ｃは請求項１記載の光コネクタプラグに相当する。
【００１０】
図２は固定部品を示す。
固定部品２２は全体がバネ材から形成され、長方形枠状の本体部２４と、該本体部２４の両側から突設した一対の弾性爪２５，２５とを備えている。これら弾性爪２５，２５の突設位置はハウジング本体２１の対向する両側に形成した一対の係合部２６，２６（図１参照）と一致している。また、弾性爪２５，２５先端には係合爪２７を突設している。図１において、両弾性爪２５，２５はバックプレーン３の取付穴３０に挿通し、バックプレーン３を介して反対側に設置したハウジング本体２１の係合部２６，２６にそれぞれ差し込んで係合される。
【００１１】
図３に示すように、取付穴３０は長方形であり、バックプレーン３の上下に細長く延在している。固定部品２２の本体部２４の外形は取付穴３０よりも大きく、本体部２４中央部に開口したプラグ挿通穴２９は取付穴３０よりも小さい。図１に示すように、両弾性爪２５，２５をバックプレーン３の取付穴３０に挿通してハウジング本体２１の係合部２６，２６に係合すると、前記プラグ挿通穴２９は取付穴３０に連通し、プラグ挿通穴２９から取付穴３０に挿通したＭＰＯプラグ４ｂをハウジング本体２１に差し込むことができる。
【００１２】
また、図３に示すように、取付穴３０に挿入した弾性爪２５，２５の周囲にはクリアランスを確保し、取付穴３０内では前記クリアランスの範囲で弾性爪２５，２５の変位を許容している。したがって、バックプレーン３に取り付けたバックプレーンハウジング２０には、前記取付穴３０内での弾性爪２５，２５の可動範囲内で浮動を許容している。
例えば、図４に示すように、前記クリアランスは水平方向（図４中左右）にｃ＝０．３４ｍｍ、垂直方向（図４中上下）にｄ＝１．６０ｍｍ確保し、このクリアランスの範囲で弾性爪２５，２５が変位可能であり、バックプレーンハウジング２０の浮動範囲が設定される。これにより、プラグインユニット１（図７参照）にプリントボード２を差し込んでプリントボードハウジング３３（図１参照）をバックプレーンハウジング２０に嵌合する際に、プリントボードハウジング３３とバックプレーンハウジング２０との間の位置ずれをバックプレーンハウジング２０の浮動により吸収できるので、嵌合作業性が向上する。
【００１３】
図２に示すように、プラグ挿通穴２９の両側の本体部２４にはバネ部３１，３１を形成している。
図２において、バネ部３１は本体部２４からバックプレーン３方向に突出する屈曲部であり、図５に示すように、弾性爪２５，２５を取付穴３０に差し込むとバックプレーン３に当接される。したがって、弾性爪２５，２５を取付穴３０に差し込んでハウジング本体２１に係合すると、ハウジング本体２１とバネ部３１との間にバックプレーン３が挟み込まれる。組み立てられたバックプレーンハウジング２０では、ハウジング本体２１および本体部２４との間にバックプレーン３を摺動可能な程度のクランプ力により軽く挟み込む。そして、バネ部３１の弾性変形範囲内にてバックプレーン３の厚さ寸法の公差が吸収されるため、ハウジング本体２１の取り付け状態が安定し、しかも、ハウジング本体２１に図４に示したクリアランスによる目的の浮動範囲が安定に得られるため、プリントボードハウジング３３との嵌合作業性を向上することができる。
なお、バネ部形状は図示した屈曲部に限定されず、円弧状の湾曲部等、各種形状が採用可能である。
【００１４】
図１中符号３３はプリントボードハウジングである。
このプリントボードハウジング３３は内部ハウジング３４を内部に備え、該内部ハウジング３４内にてＭＰＯプラグ４ｃを収納支持している。ＭＰＯプラグ４ｃはＭＰＯプラグ４ｂよりも小型のＭＰＯプラグであり、内部ハウジング３４に取り出し可能に収納される。また、プリントボードハウジング３３のバックプレーン３方向先端には位置決め突起３５を突設している。この位置決め突起３５は、プリントボード２をバックプレーン３に向けて移動してプリントボードハウジング３３をハウジング本体２１に嵌合する時に、ハウジング本体２１に形成された位置決め係合部３６（位置決め溝）に先行して挿入されてプリントボードハウジング３３をハウジング本体２１に対して位置決めする。したがって、プリントボードハウジング３３は、プリントボード２を移動してバックプレーン３に接近させるだけで、ハウジング本体２１にスムーズに嵌合することができる。
また、内部ハウジング３４の側部からは係合突部３４ａを突設している。この係合突部３４ａはプリントボードハウジング３３内面に形成された突部収納溝３３ａ内に収納し、この突部収納溝３３ａ内での係合突部３４ａの可動範囲によりプリントボードハウジング３３内における内部ハウジング３４の前後方向（図６中左右）の可動範囲を設定している。
内部ハウジング３４はＭＰＯプラグ４ｃのカップリング４ｆ（図１参照）の外側に装着している。また、ＭＰＯプラグ４ｃの後端（図１中左側）にはフランジ４ｇを突設している。カップリング４ｆはＭＰＯプラグ４ｃ内蔵の図示しないスプリングによって付勢されており、図１に示すように前記フランジ４ｇは常時プリントボードハウジング３３後部の支圧壁３３ｂ近傍に位置する。
【００１５】
この光コネクタにて、ＭＰＯプラグ４ｂ，４ｃ同士を接続するには、まず、バックプレーンハウジング２０をバックプレーン３に組み立て、次いで、プリントボード２をプラグインユニット１の目的位置に差し込み、図６に示すように、バックプレーンハウジング２０のハウジング本体２１にプリントボードハウジング３３を嵌合し、前記ハウジング本体２１のプラグ収納穴２３に予め差し込んでおいたＭＰＯプラグ４ｂに対してプリントボードハウジング３３に支持したＭＰＯプラグ４ｃを突き合わせるようにして接続する。
図１において、プリントボードハウジング３３をハウジング本体２１に向けて押圧すると、プリントボードハウジング３３後部の支圧壁３３ｂがＭＰＯプラグ４ｃ後端のフランジ４ｇを押圧することによりＭＰＯプラグ４ｃがハウジング本体２１内に差し込まれる。図６に示すように、ＭＰＯプラグ４ｃ，４ｂ同士が接続された時にはＭＰＯプラグ４ｃが接続方向後方（図６中左側）に若干押し込まれる。この時、ＭＰＯプラグ４ｃ内蔵の図示しないスプリングが弾性変形され、このスプリングの弾性変形量に対応してフェルール４ｅとフランジ４ｇとの間の離間寸法が押し縮められることになり、スプリングの弾性力がＭＰＯプラグ４ｃ，４ｂの光コネクタフェルール４ｅ，４ｄ間の突き合わせ力として作用する。
ＭＰＯプラグ４ｃ，４ｂ間の接続を解除する時には、プリントボードハウジング３３を接続方向後方に引っ張る。この時、図１に示すように、プリントボードハウジング３３に係合突部３４ａが引っ掛かると同時に内部ハウジング３４がプリントボードハウジング３３と一体的に移動し、該内部ハウジング３４と連結しているカップリング４ｆも移動することになるので、これによりプリントボードハウジング３３とともにＭＰＯプラグ４ｃをハウジング本体２１から一体的に引き抜くことができる。
【００１６】
この光コネクタでは両ＭＰＯプラグ４ｂ，４ｃを一部品からなるハウジング本体２１内に収納して接続するようになっているので、従来構成の光コネクタ（図７参照）のようにＭＰＯプラグ４ｂ，４ｃを収納する内部ハウジング８ａを内部に支持する構造のハウジング本体８に比べて、ハウジング本体２１の強度を大幅に向上することができ、ＭＰＯプラグ４ａ側方への外力に対するハウジング本体２１の変形耐力が大幅に向上する。しかも、ハウジング本体２１は大型化すること無く強度を向上できるので、光コネクタ全体を大型化する必要は無く、低コストで変形耐力を向上できる。
この結果、この光コネクタにて接続されたＭＰＯプラグ４ｃ，４ｂ間では、ＭＰＯプラグ４ｃに側方への外力が作用しても光コネクタフェルール４ｅ，４ｄ間の位置ずれを防止でき、光コネクタフェルール４ｅ，４ｄ間に目的の接続損失が安定かつ確実に得られる。
なお、ＭＰＯプラグ４ｂ，４ｃは双方ともＪＩＳ  Ｃ  ５９８１に制定される光コネクタフェルール４ｄ，４ｅを内蔵し、互いの光コネクタフェルール４ｄ，４ｅを突き合わせ接続することで接続され、双方の位置決め精度は前記光コネクタフェルール４ｄ，４ｅのガイドピンとガイドピン穴との嵌合によって得られるので、ハウジング本体２１のプラグ収納穴２３によるＭＰＯプラグ４ｂ，４ｃの位置決め精度は比較的低く設定することができる。
【００１７】
ハウジング本体２１にプリントボードハウジング３３を嵌合する作業では、前述の位置決め突起３５と位置決め係合部３６との係合によって高い位置決め作業性が得られるとともに、ハウジング本体２１に確保された浮動範囲や弾性爪２５，２５の弾性変形によるハウジング本体２１の微小変位によってバックプレーン３の厚さ寸法や取付穴３０形状の寸法公差や、プラグインユニット１内を移動するプリントボード２の寸法公差が吸収されるため、高い嵌合作業性が得られ、プリントボード２をバックプレーン３に向けて移動するだけで、プリントボードハウジング３３をハウジング本体２１に効率良く嵌合することができる。
【００１８】
バックプレーンハウジング２０をバックプレーン３に組み立てる作業は、ハウジング本体２１に固定部品２２を押し込むだけで良いので、ピンにより固定する場合に比べて極めて簡便であり、作業性が向上する。
バックプレーン３の厚さ寸法が所定寸法より大きい場合には、バネ部３１を弾性変形させることにより弾性爪２５，２５をハウジング本体２１の係合部２６，２６に係合させることができる。逆に、バックプレーン３の厚さ寸法が所定寸法より小さい場合にも、バネ部３１の弾性変形により前記バックプレーン３の寸法公差が吸収されるので、固定部品２２とハウジング本体２１との間に無駄な隙間が生じることが防止され、ハウジング本体２１には取付穴３０内での弾性爪２５，２５の可動範囲による目的の浮動範囲が確実に得られる。これにより、ハウジング本体２１が必要以上に浮動することが防止されてプリントボードハウジング３３を嵌合する作業を効率良く行うことができる。
【００１９】
また、ピンによる固定がネジ固定用の作業スペースを要するのに対して、固定部品２２を押圧するために手が入る程度のスペースを確保すれば良いので作業スペースが縮小し、建物の壁等に施工する場合に有利である。この光コネクタでは、バックプレーン３に予め固定した固定部品２２にハウジング本体２１を押し込んでバックプレーンハウジング２０を組み立てることも可能であり、この場合にはプラグインユニット１外側に作業スペースを確保する必要が無い。
また、弾性爪２５，２５形状を調整するだけで、取付穴３０内に挿入した弾性爪２５，２５の周囲のクリアランスを容易に調整できるので、バックプレーンハウジング２０の浮動範囲を簡便に設定できる。これにより、取付穴３０形状が単純で済み、その形成作業性も向上する。
さらに、ピンを使用しないことにより、部品点数が減少するので、低コスト化できるといった効果も得られる。
【００２０】
なお、本発明は前述した実施形態に限定されず、例えば、ハウジング本体の位置決め係合部形状や固定部品のバネ部形状等は適宜変更可能である。
バネ部としては、別途固定部品に取り付けた板バネやコイルスプリング等も採用可能である。
【００２１】
【発明の効果】
以上説明したように、本発明の光コネクタによれば、バックプレーンに開口した取付穴に対して一部品からなる筒状のハウジング本体を固定部品によって位置決めして取り付け、前記ハウジング本体のプラグ収納穴に光コネクタプラグが挿抜可能に差し込まれるようにしたことにより、内部ハウジングを内蔵する従来構造に比べてハウジング本体の強度を向上できるので、光コネクタプラグに作用する側方への外力に対するハウジング本体の変形耐力が向上し、光コネクタプラグの位置決め精度を長期にわたって維持することができ、しかも接続した光コネクタプラグ間に目的の接続損失が安定かつ確実に得られるといった優れた効果を奏する。
【図面の簡単な説明】
【図１】  本発明の光コネクタの１実施形態を示す図であって、バックプレーンハウジングおよびプリントボードハウジングの近傍を示す正面図である。
【図２】  図１のバックプレーンハウジングの固定部品を示す斜視図である。
【図３】  図１のバックプレーンハウジングを取り付ける取付穴を示す正面図である。
【図４】  図３の取付穴内にて弾性爪の周囲に確保したクリアランスを示す正面図である。
【図５】  本実施形態の光コネクタのバックプレーンハウジングを示す正断面図である。
【図６】  本実施形態の光コネクタの作用を示す図であって、バックプレーンハウジングにプリントボードハウジングを嵌合した状態を示す正面図である。
【図７】  従来例のバックプレーンコネクタを示す分解斜視図である。
【図８】  図７のバックプレーンコネクタのバックプレーンハウジングを示す分解斜視図である。
【図９】  図７のバックプレーンコネクタの取付穴を示す正面図である。
【符号の説明】
２…プリントボード、３…バックプレーン、４ｂ，４ｃ…光コネクタプラグ（ＭＰＯプラグ）、２１…ハウジング本体、２２…固定部品、２３…プラグ収納穴、３０…取付穴、３３…プリントボードハウジング、３６…位置決め係合部（位置決め溝）。
【図１】
0003953611.tif 000002
【図２】
0003953611.tif 000003
【図３】
0003953611.tif 000004
【図４】
0003953611.tif 000005
【図５】
0003953611.tif 000006
【図６】
0003953611.tif 000007
【図７】
0003953611.tif 000008
【図８】
0003953611.tif 000009
【図９】
0003953611.tif 000010